(57)【要約】【課題】操作表示部を取外し可能とするとともに補助表示部を設けることによって、部品点数の増加を抑制しながら視点の異なるユーザの視認性を確保することのできる画像形成装置を提供する。【解決手段】画像形成装置１に、所定の用紙に画像を形成する画像形成部と、操作表示部１３が筐体に装着された状態および筐体から脱離した状態で画像形成に係る情報を表示する液晶表示器２０３と、操作表示部１３を構成するとともに画像形成に係る入力操作を行うための入力部と、操作表示部１３が筐体に装着された状態で操作表示部１３に覆われるとともに、操作表示部１３が筐体から脱離した状態で画像形成に係る情報を表示する液晶表示器２０４を有する補助表示部１０９と、を設ける。【選択図】図１
2009282065.tif 000002
【特許請求の範囲】
【請求項１】
所定の用紙に画像を形成する画像形成手段と、
筐体に装着された状態および前記筐体から脱離した状態で画像形成に係る情報を表示する第１の表示手段と、
前記第１の表示手段と一体的に形成され、画像形成に係る入力操作を行うための操作手段と、
前記第１の表示手段および前記操作手段が前記筐体に装着された状態で前記第１の表示手段および前記操作手段に覆われるとともに、前記第１の表示手段および前記操作手段が前記筐体から脱離した状態で画像形成に係る情報を表示する第２の表示手段と、
を備えたことを特徴とする画像形成装置。
【請求項２】
前記画像形成に係る情報には、前記画像形成装置の状態を示す状態情報と前記画像形成装置の機能メニューを示す機能情報とが含まれ、前記第１の表示手段および前記操作手段が前記筐体に装着された状態で、前記第１の表示手段が前記機能情報および前記状態情報を表示し、前記第１の表示手段および前記操作手段が前記筐体から脱離した状態で、前記第１の表示手段が前記機能情報を表示するとともに前記第２の表示手段が前記状態情報を表示することを特徴とする請求項１に記載の画像形成装置。
【請求項３】
前記第１の表示手段および前記操作手段が前記筐体に装着されているか否かを検出する装着検出手段を備え、
前記第２の表示手段は、前記装着検出手段の検出情報に基づいて前記状態情報を表示することを特徴とする請求項２に記載の画像形成装置。
【請求項４】
前記第１の表示手段および前記第２の表示手段の消費電力を抑制する省エネルギーモードを設定するための時間計測を行う計時手段を備え、
前記第１の表示手段および前記操作手段が前記筐体から脱離した状態で、前記計時手段の計時情報に基づいて、前記第１の表示手段および前記第２の表示手段が同期して省エネルギーモードへ移行することを特徴とする請求項３に記載の画像形成装置。
【請求項５】
前記第２の表示手段の表示面積は前記第１の表示手段のものより小さいことを特徴とする請求項２から請求項４のいずれか一項に記載の画像形成装置。
【請求項６】
前記第１の表示手段および前記操作手段が前記筐体から脱離した状態で、前記第１の表示手段および前記第２の表示手段が前記第１の表示手段および前記操作手段の装着を指示する情報を表示することを特徴とする請求項１から請求項５のいずれか一項に記載の画像形成装置。
【発明の詳細な説明】
【技術分野】
【０００１】
本発明は、取外し可能な操作表示部と固設された補助表示部とを有する画像形成装置に関するものである。
【背景技術】
【０００２】
従来の画像形成装置は、例えば、車椅子に座った状態で操作する場合の使い勝手を考慮して、画像形成装置（複写機）の上部のスキャナ装置の他に、複写機本体の下端から３７ｃｍ〜５０ｃｍ程度上方に画像入力装置を出し入れ可能に設けている（例えば、特許文献１参照）。この構成によれば、スキャナ装置の操作パネルよりも低い位置から原稿の画像情報を入力し、あるいは複写機本体で実行されるジョブの指令を入力することができ、車椅子に座った状態でも良好な操作性を実現することができる。
【０００３】
なお、特許文献１に記載の画像形成装置においては、視点の高さが異なる複数のユーザに対し、上部および下部の操作パネルにそれぞれ異なる情報を表示することについては記載および示唆がない。例えば、車椅子に座った第１のユーザが下部の画像入力装置を用いて作業を行い、この作業を第２のユーザが立った状態で監督する場合の使い勝手について配慮がなされていない。
【０００４】
また、胴内排紙型の画像形成装置において、作像部上に排紙部空間を形成するよう、スキャナ部を筐体上方に間隔をおいて支持する支持体と、スキャナ部と並置した操作パネルと、を備え、操作パネルの側端が支持体に支持されるようにしているものもある（例えば、特許文献２参照）。この構成によれば、支持体内に取付けられた回動機構により、操作パネルが回動支点を中心として回動可能であるために、操作パネルをスキャナ部の平面に対して傾斜させ、操作パネルの取付角度を変更することで排紙の確認が容易となり、かつ操作パネルの視認性を確保することができる。
【特許文献１】特開２００７−１２７８４６号公報
【特許文献２】特開２００７−２４８６６１号公報
【発明の開示】
【発明が解決しようとする課題】
【０００５】
しかしながら、特許文献１に記載の画像形成装置においては、車椅子に座った状態で良好な操作性（視認性を含む）を実現することができるものの、操作表示部（操作パネルに相当する）を上部および下部に設けているために、装置構成が複雑になって部品点数が増加するという問題があった。一方、特許文献２に記載の画像形成装置においては、操作表示部が筐体上方のスキャナ装置と並置されているために、車椅子に座った状態で良好な視認性を確保することが難しいという問題があった。
【０００６】
本発明は、従来の問題を解決するためになされたもので、操作表示部を取外し可能とするとともに補助表示部を設けることによって、部品点数の増加を抑制しながら視点の異なるユーザの視認性を確保することのできる画像形成装置を提供することを目的とする。
【課題を解決するための手段】
【０００７】
（１）本発明の画像形成装置は、所定の用紙に画像を形成する画像形成手段と、筐体に装着された状態および前記筐体から脱離した状態で画像形成に係る情報を表示する第１の表示手段と、前記第１の表示手段と一体的に形成され、画像形成に係る入力操作を行うための操作手段と、前記第１の表示手段および前記操作手段が前記筐体に装着された状態で前記第１の表示手段および前記操作手段に覆われるとともに、前記第１の表示手段および前記操作手段が前記筐体から脱離した状態で画像形成に係る情報を表示する第２の表示手段と、を備えたことに特徴がある。
【０００８】
この構成によれば、第１の表示手段および操作手段を筐体から取外して移動することができるので、ユーザの視点に応じて第１の表示手段と第２の表示手段とを離間させ、視点の異なるユーザの視認性を確保することができる。第１の表示手段と第２の表示手段との視認性を確保することによって操作性が向上する。また、一つの操作手段を有するので、操作に係る部品点数の増加を抑制することができる。
【０００９】
（２）本発明の画像形成装置においては、前記画像形成に係る情報には、前記画像形成装置の状態を示す状態情報と前記画像形成装置の機能メニューを示す機能情報とが含まれ、前記第１の表示手段および前記操作手段が前記筐体に装着された状態で、前記第１の表示手段が前記機能情報および前記状態情報を表示し、前記第１の表示手段および前記操作手段が前記筐体から脱離した状態で、前記第１の表示手段が前記機能情報を表示するとともに前記第２の表示手段が前記状態情報を表示することに特徴がある。
【００１０】
なお、画像形成装置の状態情報は、例えば、電源のオンオフ、所定の用紙の有無、所定の用紙の給紙ジャムの有無、画像形成用のトナーの有無、開閉扉の開閉等を示すものである。
【００１１】
（３）本発明の画像形成装置においては、前記第１の表示手段および前記操作手段が前記筐体に装着されているか否かを検出する装着検出手段を備え、前記第２の表示手段は、前記装着検出手段の検出情報に基づいて前記状態情報を表示することに特徴がある。
【００１２】
（４）本発明の画像形成装置においては、前記第１の表示手段および前記第２の表示手段の消費電力を抑制する省エネルギーモードを設定するための時間計測を行う計時手段を備え、前記第１の表示手段および前記操作手段が前記筐体から脱離した状態で、前記計時手段の計時情報に基づいて、前記第１の表示手段および前記第２の表示手段が同期して省エネルギーモードへ移行することに特徴がある。
【００１３】
ここで、例えば、操作手段の入力操作が所定時間なされない場合に通常モードから省エネルギーモードに移行するようにしてもよい。また、省エネルギーモードでは、例えば、第１の表示手段および第２の表示手段の駆動（表示）に係る電源供給を停止するようにしてもよい。
【００１４】
（５）本発明の画像形成装置においては、前記第２の表示手段の表示面積は前記第１の表示手段のものより小さいことに特徴がある。
【００１５】
（６）本発明の画像形成装置においては、前記第１の表示手段および前記操作手段が前記筐体から脱離した状態で、前記第１の表示手段および前記第２の表示手段が前記第１の表示手段および前記操作手段の装着を指示する情報を表示することに特徴がある。
【発明の効果】
【００１６】
本発明は、第１の表示手段および操作手段（操作表示部に相当する）を取外し可能とするとともに第２の表示手段（補助表示部に相当する）を固設することによって、部品点数の増加を抑制しながら視点の異なるユーザの視認性を確保することができるという効果を有する画像形成装置を提供することができる。
【発明を実施するための最良の形態】
【００１７】
以下、本発明の実施の一形態としての画像形成装置について、図面を用いて説明する。
【００１８】
本発明の実施の一形態としての画像形成装置の外観を図１〜図３に示す。
【００１９】
図１において、画像形成装置１は、例えば、電子写真方式のデジタルカラープリンタであって、ケーブル３０によって画像形成装置１の本体と接続されて筐体（画像形成装置１の本体に相当する）から着脱可能な操作表示部１３と、装置筐体に固設された補助表示部１０９と、を有する構成である。なお、ケーブル３０は、操作表示部１３の取外し時には所定の長さが繰り出され（図１参照）、装着時には筐体内に収納可能となっている（図２、図３参照）。
【００２０】
操作表示部１３は、液晶表示器（ＬＣＤ）２０３等を有する表示部１１２と、テンキー、ファンクションキー等を有する入力部１１１（図５参照）と、メモリカードを挿入するためのメモリカードインタフェース（Ｉ／Ｆ）１１３と、を有し、筐体上部に装着するようになっている。操作表示部１３が装着された状態で、補助表示部１０９は操作表示部１３によって覆われている。操作表示部検出スイッチ（ＳＷ）１１４は、操作表示部１３が取外されたことを検出してＣＰＵ１０１に信号を出力する。操作表示部検出スイッチ１１４は、操作部インタフェース１１０を構成している。
【００２１】
補助表示部１０９は、液晶表示器（ＬＣＤ）２０４等を有し、操作表示部１３が取外されると、画像形成に係る情報（例えば、画像形成装置１の状態情報としての電源のオンオフ、所定の用紙の有無、給紙ジャムの有無、画像形成用のトナーの有無、開閉扉２０の開閉状態を示す情報）を液晶表示器２０４に表示するようになっている。なお、表示部１１２の液晶表示器２０３は、画像形成に係る情報のうち、画像形成装置１の機能情報としての機能メニュー（例えば、白黒印刷、カラー印刷）等を表示するようになっている。但し、操作表示部１３が取外された状態であって操作表示部１３を筐体に装着する必要がある場合には、双方の液晶表示器２０３、２０４に装着を指示する情報を表示するようになっている。
【００２２】
なお、図３に示すように、消耗品としてのプロセスカートリッジ２等を交換する場合は、操作表示部１３が筐体に装着された状態で、筐体側面下部（操作表示部１３の下方）の開閉扉２０を開いて交換するようになっている。これに対し、操作表示部１３が取外された状態（図１参照）では、操作表示部１３と画像形成装置１とを結ぶケーブル３０を開閉扉２０と筐体との間に挟むおそれがある。この不都合を回避するために、本実施の形態では操作表示部１３および補助表示部１０９に警告メッセージ（図１０（ｂ）参照）を表示するようにしている。
【００２３】
次に、本発明の実施の一形態としての画像形成装置１の機械的構成を図４に示す。
【００２４】
図４に示すように、画像形成装置１は、着脱可能なプロセスカートリッジ２、光学系８、給紙カセット１１等を有し、その上部には前述の操作表示部１３が着脱自在に装着されている。
【００２５】
プロセスカートリッジ２は、少なくとも感光体３、クリーニング手段および排トナー回収部５を有するが、この他に帯電ローラ４、現像手段およびトナー収納部６等を有するようにしてもよい。光学系８は、詳細に図示していないが、ポリゴンモータ、ポリゴンミラー、Fθレンズ、レーザダイオード、ミラー等により構成される。給紙カセット１１には、所定サイズの記録紙１２が収容される。給紙カセット１１内の記録紙１２は、給紙ローラ９により１枚ずつ順次ピックアップされ、感光体３へ搬送されるようになっている。
【００２６】
感光体３は、図中、時計方向に回転駆動され、その際、帯電ローラ４によって表面を帯電され、光学系８からレーザ光を照射されるようになっている。ここで感光体３上に静電潜像が形成される。この静電潜像が、現像手段およびトナー収納部６を通るときにトナーによって可視像化される。この可視像（トナー像）は転写ローラ７により、感光体３へ搬送された記録紙１２に転写され、その後、記録紙１２は定着ローラ１０に搬送されて記録紙１２上の可視像が定着され、定着後の記録紙１２は画像形成装置１の外部（例えば、排紙トレイ４０）へ排紙されるようになっている。
【００２７】
次に、本発明の実施の一形態としての画像形成装置１の電気的構成を図５に示す。
【００２８】
図５に示すように、画像形成装置１のＣＰＵ１０１には、システムバスを介してＲＯＭ１０２、ＲＡＭ１０３とともに、画像をプリントアウトするプロッタ１０８、プリントする画像データを保存したハードディスク（ＨＤ）を駆動するためのハードディスクドライブ（ＨＤＤ）１０５、プリントコマンド等を受け取るネットワークインタフェース（Ｉ／Ｆ）１０６、画像形成装置１の設定データを保存する不揮発性メモリ１０７、装置各部を制御する際に利用するタイマ１０４、画像形成装置１の状態（状態情報）を表示する補助表示部１０９が接続されている。また、ＣＰＵ１０１には、操作部インタフェース（Ｉ／Ｆ）１１０を介して操作表示部１３が接続されている。
【００２９】
本実施の形態では、ＣＰＵ１０１が予めＲＯＭ１０２内に格納した制御プログラムを読み出し、ＲＡＭ１０３を画像データやセンサ信号などを一時記憶するワークエリアとして使用しつつ装置各部を統括制御することにより、データ処理装置として各種処理を行うようになっている。
【００３０】
操作表示部１３は、駆動条件、装置状態、入力条件などの各種情報を表示する表示部１１２と、ユーザによる機能選択などの選択入力や設定入力等の入力操作を行うための入力部１１１と、デジタルスチルカメラ等で撮影され、メモリカードに記憶された写真データを画像形成装置１に読み込ませるためのメモリカードインタフェース（Ｉ／Ｆ）１１３と、を有する構成である。なお、操作表示部１３の制御は操作部Ｉ／Ｆ１１０を介してＣＰＵ１０１が行うようになっている。
【００３１】
補助表示部１０９は、操作表示部１３が画像形成装置１の筐体から取外されたことを操作部Ｉ／Ｆ１１０が検知すると、画像形成装置１の状態情報を表示するようになっている。したがって、ユーザは操作表示部１３が取外されても、補助表示部１０９によって画像形成装置１の状態を知ることができる。
【００３２】
タイマ１０４は、例えば、画像形成装置１の筐体から取外された操作表示部１３と補助表示部１０９とが省エネルギーモードに移行する場合等、装置各部を同期させるためにタイミングをカウントする際に用いられる。本実施の形態では、例えば、操作表示部１３における入力部１１１からの入力操作が所定時間なされない場合に通常モードから省エネルギーモードに移行する。省エネルギーモードでは、例えば、操作表示部１３の液晶表示器２０３および補助表示部１０９の液晶表示器２０４を駆動（表示）するための電源供給を停止するようにしている。
【００３３】
次に、本発明の実施の一形態としての操作部Ｉ／Ｆ１１０、補助表示部１０９および操作表示部１３の電気的構成を図６に示す。
【００３４】
図６に示すように、操作部Ｉ／Ｆ１１０は、内部バスと操作表示部１３とを電気的に接続するバスブリッジ２０１と、バスブリッジ２０１に接続され、操作表示部１３の着脱検出を行うための操作表示部検出ＳＷ１１４と、を有する。操作表示部検出ＳＷ１１４は、例えば、オフ状態で画像形成装置１の筐体表面に突出しており（図１参照）、操作表示部１３が所定位置に装着されると押縮してオン状態となる。
【００３５】
補助表示部１０９は、液晶表示器２０３よりも液晶表示画面の小さい液晶表示器２０４と、液晶画面に描画するＬＣＤコントローラ２０５と、を有する。
【００３６】
操作表示部１３は、表示部１１２としての液晶表示器２０３と、液晶画面に描画するＬＣＤコントローラ２０３と、入力部１１１としてのスイッチ群（スタートスイッチ、テンキー、ファンクションキー等）と、メモリカードＩ／Ｆ１１３と、を有する。また、操作表示部１３は、ケーブル３０によって画像形成装置１と接続され（図１参照）、筐体から取外された状態でもＣＰＵ１０１によって制御が行われるようになっている。
【００３７】
以上のように構成された画像形成装置１について、図７を用いて省エネルギーモード設定処理を説明する。
【００３８】
まず、ＣＰＵ１０１は、ＲＡＭ１０３の所定領域の省エネフラグをクリアするとともに（ステップＳ１０１）、省エネタイマ（タイマ１０４）をセットする（ステップＳ１０２）。ここでセットされる省エネタイマ値は、ユーザによる最後の操作またはプリント動作から省エネルギーモードに移行するまでの時間であって、予め設定されたものである。
【００３９】
次いで、ＣＰＵ１０１は、プリント動作が有るか否かを判断する（ステップＳ１０３）。具体的には、操作表示部１３の出力に基づいてプリント動作を指示する入力操作（例えば、スタートスイッチの押下）がなされたか否かを判断する。ここでプリント動作が有ると判断した場合はステップＳ１０２に移り、プリント動作がないと判断した場合にはステップＳ１０４に移る。
【００４０】
ステップＳ１０４において、ＣＰＵ１０１は、キー操作が有るか否かを判断する。具体的には、操作表示部１３の出力に基づいてテンキー、ファンクションキー等の操作がなされたか否かを判断する。ここで、キー操作が有ると判断した場合はステップＳ１０２に移り、キー操作がないと判断した場合にはステップＳ１０５に移る。
【００４１】
ステップＳ１０５において、ＣＰＵ１０１は、省エネタイマが０であるか否かを判断する。これは、省エネルギーモードへ移行する移行条件としての所定時間の経過が成立したか否かを判断するものである。ここで、省エネタイマが０であると判断した場合はステップＳ１０７に移り、省エネタイマが０でないと判断した場合にはステップＳ１０６に移る。
【００４２】
ステップＳ１０６において、ＣＰＵ１０１は、省エネタイマのカウントダウンを実行し、この後、ステップＳ１０３に移る。
【００４３】
ステップＳ１０７において、ＣＰＵ１０１は、ＲＡＭ１０３の所定領域に省エネフラグをセットする。この省エネフラグに基づいて、省エネルギーモードに移行することになる。例えば、操作表示部１３が筐体から取外された状態では、操作表示部１３および補助表示部１０９が同期して省エネルギーモードに移行することになる。
【００４４】
次に、図８を用いて補助表示部１０９の表示制御処理を説明する。
【００４５】
まず、ＣＰＵ１０１は、操作表示部１３が筐体に装着されているか否かを判断する（ステップＳ２０１）。具体的には、操作部Ｉ／Ｆ１１０を介して操作表示部検出ＳＷ１１４がオンであるか否かを判断する。ここで、操作表示部検出ＳＷ１１４がオンであると判断した場合はステップＳ２０４に移り、操作表示部検出ＳＷ１１４がオフであると判断した場合はステップＳ２０２に移る。
【００４６】
ステップＳ２０２において、ＣＰＵ１０１は、ＲＡＭ１０３の所定領域に省エネフラグがセットされているか否かを判断する。ここで、省エネフラグがセットされていると判断した場合はステップＳ２０４に移り、省エネフラグがセットされていないと判断した場合にはステップＳ２０３に移る。
【００４７】
ステップＳ２０３において、ＣＰＵ１０１は、補助表示部１０９の液晶表示器２０４に画像形成装置１の状態情報を表示させる。例えば、トナー切れに係る情報を表示させる。なお、取外された操作表示部１３の液晶表示器２０３には画像形成に係る入力操作のための選択ボタン（例えば、白黒印刷、カラー印刷の選択ボタン）等が表示される。
【００４８】
ステップＳ２０４において、ＣＰＵ１０１は、ＬＣＤコントローラ２０５をリセットして液晶表示器２０４の表示を停止（オフ）する。なお、装着された操作表示部１３の液晶表示器２０３には、前述した画像形成に係る入力操作のための選択ボタン等とともに画像形成装置１の状態情報が表示される。
【００４９】
本実施の形態では、操作表示部１３が筐体から取外され、かつＲＡＭ１０３の所定領域に省エネフラグがセットされていない場合に、補助表示部１０９は表示を行うようになっている。
【００５０】
次に、図９を用いてプロセスカートリッジ２の交換に係る表示制御処理を説明する。また、プロセスカートリッジ２の交換に係る操作表示部１３および補助表示部１０９の画面を図１０に示す。
【００５１】
まず、ＣＰＵ１０１は、操作表示部１３が取外されているか否かを判断する（ステップＳ３０１）。具体的には、操作部Ｉ／Ｆ１１０を介して操作表示部検出ＳＷ１１４がオンであるか否かを判断する。ここで、操作表示部１３が取外されていると判断した場合はステップＳ３０２に移り、操作表示部１３が装着されていると判断した場合にはステップＳ３０３に移る。
【００５２】
ステップＳ３０２において、ＣＰＵ１０１は、操作表示部１３および補助表示部１０９に警告メッセージを表示させる。例えば、図１０（ａ）に示すように、操作表示部１３の液晶表示器２０３に「カートリッジの交換が必要となりました。本ユニットを本体に戻してから操作して下さい。」とのメッセージを表示させる。また、図１０（ｂ）に示すように、補助表示部１０９の液晶表示器２０４に「カートリッジの交換が必要となりました。操作表示部を本体にセットして下さい。」とのメッセージを表示させる。
【００５３】
双方のメッセージによって、例えば、操作表示部１３を筐体から取外して用いている第１のユーザと、筐体付近に立った状態で第１のユーザの作業を監督する第２のユーザとに対して、操作表示部１３の筐体への装着を指示することになる。
【００５４】
ステップＳ３０３において、ＣＰＵ１０１は、操作表示部１３の液晶表示器２０３にカートリッジ交換手順を表示させる。表示されたカートリッジ交換手順に従い、第１のユーザまたは第２のユーザは開閉扉２０を開閉操作してプロセスカートリッジ２を交換することになる。
【００５５】
次いで、ＣＰＵ１０１は、プロセスカートリッジ２の交換が完了したか否かを判断する（ステップＳ３０４）。ここで、プロセスカートリッジ２の交換が完了したと判断した場合は本処理を終了し、プロセスカートリッジ２の交換が完了していないと判断した場合にはステップＳ３０３に処理を移す。
【００５６】
本実施の形態ではケーブル挟みを回避するために、ユーザが取外した操作表示部１３を筐体に装着したことを確認してから、液晶表示器２０３にカートリッジ交換手順を表示するようにしている。
【００５７】
このような本発明の実施の一形態としての画像形成装置１によれば、操作表示部１３を筐体から取外して移動することができるので、例えば、車椅子に座った第１のユーザと立った状態の第２のユーザとの視点の高さに応じて操作表示部１３と補助表示部１０９とを離間させ、視点の異なるユーザの視認性を確保することができる。車椅子に座った第１のユーザにとっては、操作表示部１３を所望の位置（高さ）で使用することができるために操作性が向上する。また、テンキー、ファンクションキー等の入力部１１１は操作表示部１３に集約されているので、表示画面（液晶画面）を増設しながら操作に係る部品点数の増加を抑制するとともに、操作入力に係る処理を簡素化することができる。また、前述のように部品点数の増加を抑制することによって、部品コストの削減およびスペースの有効利用を促進することができる。
【００５８】
また、本実施の形態によれば、視点の異なるユーザに対して、操作表示部１３および補助表示部１０９が画像形成に係る情報を分担して効率的に表示することができる。例えば、車椅子に座った第１のユーザが操作表示部１３を筐体から取外して操作入力を用い、この第１のユーザの作業を第２のユーザが筐体付近に立った状態で監督する場合、第１のユーザに対しては操作表示部１３の液晶表示器２０３によって機能メニューを表示するとともに、第２のユーザに対しては補助表示部１０９の液晶表示器２０４によって画像形成装置１の状態情報を表示することができる。このように、ユーザの役割に応じて液晶表示器２０３および液晶表示器２０４にそれぞれ異なる情報を表示することができる。
【００５９】
また、本実施の形態によれば、操作表示部検出ＳＷ１１４の出力（検出情報）に基づいて補助表示部１０９の液晶表示器２０４が視認可能な状態にあるとき、状態情報を表示するようにしたので、補助表示部１０９が操作表示部１３に覆われた状態で無駄な表示を行うのを防止するとともに、補助表示部１０９の表示のための電力を節約することができる。
【００６０】
また、本実施の形態によれば、タイマ１０４のカウント（計時情報）に基づいて操作表示部１３および補助表示部１０９が同期して省エネルギーモードへ移行するので、双方の電力消費を抑制するとともに省エネルギーモードへの移行処理を簡素化することができる。
【００６１】
また、本実施の形態によれば、操作表示部１３が表示する情報（装着時には画像形成装置１の状態情報および機能メニュー等）に相対して補助表示部１０９が表示する情報（主に画像形成装置の状態情報）が少ないことから、表示する情報に応じて部品（液晶画面）のサイズを設定することにより、画像形成装置１の大型化および部品コストの増加を抑制することができる。
【００６２】
また、本実施の形態によれば、例えば、操作表示部１３が筐体から取外され、操作表示部１３と装置本体を接続するケーブル３０が繰り出された状態で、ケーブル３０の繰り出し穴がある補助表示部１０９近傍の開閉扉２０を開閉する必要がある場合、操作表示部１３および補助表示部１０９の双方によって操作表示部１３の装着を指示する表示を行うので、開閉扉２０と筐体との間にケーブル３０が挟まれるのを確実に回避することができる。
【００６３】
なお、前述した実施形態では、操作表示部１３が筐体から取外された状態で開閉扉２０を開閉する必要がある場合、操作表示部１３および補助表示部１０９によって操作表示部１３の装着を指示する表示を行った場合について説明したが、本発明はこのほかに、操作表示部１３または補助表示部１０９によって操作表示部１３の装着を指示する表示を行ってもよい。例えば、操作表示部１３のみによって前記表示を行うことにより、前述の操作表示部１３を使用している第１のユーザに対し、操作表示部１３の装着を直接指示するようにしてもよい。この場合、補助表示部１０９の表示に係るＬＣＤコントローラ２０５の処理量を削減することができる。
【図面の簡単な説明】
【００６４】
【図１】本発明の実施の一形態としての画像形成装置（操作表示部取外し時）の外観を示す斜視図である。
【図２】本発明の実施の一形態としての画像形成装置（操作表示部装着時）の外観を示す斜視図である。
【図３】本発明の実施の一形態としての画像形成装置（扉開放時）の外観を示す斜視図である。
【図４】本発明の実施の一形態としての画像形成装置の機械的構成を示す断面図である。
【図５】本発明の実施の一形態としての画像形成装置の電気的構成を示すブロック図である。
【図６】本発明の実施の一形態としての操作部Ｉ／Ｆ、補助表示部および操作表示部の電気的構成を示すブロック図である。
【図７】本発明の実施の一形態としての省エネルギーモード設定処理を示すフローチャートである。
【図８】本発明の実施の一形態としての補助表示部の表示制御処理を示すフローチャートである。
【図９】本発明の実施の一形態としてのカートリッジ交換に係る表示制御処理を示すフローチャートである。
【図１０】本発明の実施の一形態としてのカートリッジ交換に係る操作表示部および補助表示部の画面を示す図である。
【符号の説明】
【００６５】
１  画像形成装置（画像形成手段）
２  プロセスカートリッジ（画像形成手段）
３  感光体（画像形成手段）
４  帯電ローラ（画像形成手段）
５  クリーニング手段および排トナー回収部（画像形成手段）
６  現像手段およびトナー収納部（画像形成手段）
７  転写ローラ（画像形成手段）
８  光学系（画像形成手段）
９  給紙ローラ（画像形成手段）
１０  定着ローラ（画像形成手段）
１１  給紙カセット（画像形成手段）
１２  記録紙（画像形成手段）
１３  操作表示部（第１の表示手段、操作手段）
２０  開閉扉
３０  ケーブル
４０  排紙トレイ
１０１  ＣＰＵ
１０２  ＲＯＭ
１０３  ＲＡＭ
１０４  タイマ（計時手段）
１０５  ハードディスクドライブ（ＨＤＤ）
１０６  ネットワークインタフェース（Ｉ／Ｆ）
１０７  不揮発性メモリ
１０８  プロッタ（画像形成手段）
１０９  補助表示部（第２の表示手段）
１１０  操作部インタフェース（Ｉ／Ｆ）
１１１  入力部（操作手段）
１１２  表示部（第１の表示手段）
１１３  メモリカードインタフェース（Ｉ／Ｆ）
１１４  操作表示部検出スイッチ（ＳＷ（装着検出手段））
２０１  バスブリッジ
２０２、２０５  ＬＣＤコントローラ（第１の表示手段、第２の表示手段）
２０３、２０４  液晶表示器（ＬＣＤ（第１の表示手段、第２の表示手段））
【図１】
2009282065.tif 000003
【図２】
2009282065.tif 000004
【図３】
2009282065.tif 000005
【図４】
2009282065.tif 000006
【図５】
2009282065.tif 000007
【図６】
2009282065.tif 000008
【図７】
2009282065.tif 000009
【図８】
2009282065.tif 000010
【図９】
2009282065.tif 000011
【図１０】
2009282065.tif 000012